(57)【要約】【課題】表示画面に表示される機能アイコンに関する変更がされた場合に、所定の条件下で、機能アイコンの表示状態を変更がされる前の表示状態に戻すことができる情報処理装置を提供する。【解決手段】所定の機能に関連付けされた機能アイコンを表示画面に表示する情報処理装置を設ける。情報処理装置は、表示画面に表示される機能アイコンに関する変更がされた場合に、機能アイコンの操作に関する条件が満たされるかを判断し、上記条件が満たされる場合に、表示画面上での機能アイコンの表示状態を機能アイコンに関する変更がされる前の表示状態に戻す制御を実行する。【選択図】図１
2017102775.tif 000002
【特許請求の範囲】
【請求項１】
所定の機能に関連付けされた機能アイコンを表示画面に表示する表示手段と、
前記表示画面に表示される機能アイコンに関する変更がされた場合に、前記機能アイコンの操作に関する条件が満たされるかを判断し、前記条件が満たされる場合に、前記表示画面上での前記機能アイコンの表示状態を前記機能アイコンに関する変更がされる前の表示状態に戻す制御を実行する制御手段とを備える
ことを特徴とする情報処理装置。
【請求項２】
前記表示画面に表示された機能アイコンに関する変更は、前記表示画面への前記機能アイコンの追加であり、
前記制御手段は、前記追加された機能アイコンに対する操作が所定時間されなかったかを判断し、前記追加された機能アイコンに対する操作が所定時間されなかった場合に、前記追加された機能アイコンを削除する
ことを特徴とする請求項１に記載の情報処理装置。
【請求項３】
前記制御手段は、前記追加された機能アイコンが、予め設定された第１の機能アイコンである場合に、前記追加された機能アイコンを削除しない
ことを特徴とする請求項２に記載の情報処理装置。
【請求項４】
前記制御手段は、前記表示手段への電源供給が停止後、前記電源供給が開始されて、前記表示手段が画面表示を行うタイミングで、前記追加された機能アイコンを削除する
ことを特徴とする請求項２または請求項３に記載の情報処理装置。
【請求項５】
前記表示画面に表示された機能アイコンに関する変更は、前記機能アイコンの前記表示画面での表示位置の移動であり、
前記制御手段は、前記表示位置の移動後の機能アイコンに対する操作が所定時間されなかったかを判断し、当該機能アイコンに対する操作が所定時間されなかった場合に、当該機能アイコンを前記移動される前の表示位置に戻す
ことを特徴とする請求項１に記載の情報処理装置。
【請求項６】
前記制御手段は、前記表示位置の移動後の機能アイコンが、予め設定された第２の機能アイコンである場合に、当該機能アイコンを前記移動される前の表示位置に戻さない
ことを特徴とする請求項５に記載の情報処理装置。
【請求項７】
前記制御手段は、前記表示手段への電源供給が停止後、前記電源供給が開始されて、前記表示手段が画面表示を行うタイミングで、前記表示位置の移動後の機能アイコンを前記移動される前の表示位置に戻す
ことを特徴とする請求項５または請求項６に記載の情報処理装置。
【請求項８】
前記表示画面に表示された機能アイコンに関する変更は、前記表示画面からの前記機能アイコンの削除であり、
前記制御手段は、前記削除された機能アイコンに対する操作回数が閾値以上であるかを判断し、当該機能アイコンに対する操作回数が閾値以上である場合に、当該機能アイコンを前記表示画面に再表示する
ことを特徴とする請求項１に記載の情報処理装置。
【請求項９】
前記制御手段は、前記削除された機能アイコンが、予め設定された第３の機能アイコンである場合に、当該機能アイコンに対する操作回数にかかわらず、当該機能アイコンを前記表示画面に再表示する
ことを特徴とする請求項８に記載の情報処理装置。
【請求項１０】
前記制御手段は、前記表示手段への電源供給が停止後、前記電源供給が開始されて、前記表示手段が画面表示を行うタイミングで、前記削除された機能アイコンを前記表示画面に再表示する
ことを特徴とする請求項８または請求項９に記載の情報処理装置。
【請求項１１】
所定の機能に関連付けされた機能アイコンを表示画面に表示する表示工程と、
前記表示画面に表示される機能アイコンに関する変更がされた場合に、前記機能アイコンの操作に関する条件が満たされるかを判断し、前記条件が満たされる場合に、前記表示画面上での前記機能アイコンの表示状態を前記機能アイコンに関する変更がされる前の表示状態に戻す制御を実行する制御工程とを有する
ことを特徴とする情報処理装置の制御方法。
【請求項１２】
コンピュータを請求項１乃至１０のいずれか１項に記載の情報処理装置が備える各手段として機能させることを特徴とするプログラム。
【発明の詳細な説明】
【技術分野】
【０００１】
本発明は、情報処理装置、制御方法およびプログラムに関する。
【背景技術】
【０００２】
タッチパネルを有する液晶モジュール等の表示手段が接続され、ユーザが選択可能な複数の機能アイコンを画面表示する情報処理装置が提案されている。特許文献１は、表示されている複数の機能アイコンのうち、ユーザによって使用されない機能アイコンに対して、時間経過とともに埃画像を重畳させていき、所定時間経過後に、この機能アイコンを削除する情報処理装置を開示している。
【先行技術文献】
【特許文献】
【０００３】
【特許文献１】特開２０１２−８３８８１号公報
【発明の概要】
【発明が解決しようとする課題】
【０００４】
アンドロイドＯＳを搭載した操作部を有する情報処理装置では、機能アイコンを操作部のＴＯＰ画面に容易に追加することができる。しかし、ユーザが、いたずらにＴＯＰ画面に機能アイコンを追加する場合がある。このような場合、他のユーザにとって使いにくいＴＯＰ画面になってしまう。
【０００５】
本発明は、表示画面に表示される機能アイコンに関する変更がされた場合に、所定の条件下で、機能アイコンの表示状態を変更がされる前の表示状態に戻すことができる情報処理装置の提供を目的とする。
【課題を解決するための手段】
【０００６】
本発明の一実施形態の情報処理装置は、所定の機能に関連付けされた機能アイコンを表示画面に表示する表示手段と、前記表示画面に表示される機能アイコンに関する変更がされた場合に、前記機能アイコンの操作に関する条件が満たされるかを判断し、前記条件が満たされる場合に、前記表示画面上での前記機能アイコンの表示状態を前記機能アイコンに関する変更がされる前の表示状態に戻す制御を実行する制御手段とを備える。
【発明の効果】
【０００７】
本発明の情報処理装置によれば、表示画面に表示される機能アイコンに関する変更がされた場合に、所定の条件下で、機能アイコンの表示状態を変更がされる前の表示状態に戻すことができる。
【図面の簡単な説明】
【０００８】
【図１】本実施形態の情報処理装置の構成を示す図である。
【図２】表示画面への機能アイコンの追加を説明する図である。
【図３】表示画面への機能アイコンの追加を説明する図である。
【図４】実施例１の情報処理装置の動作処理を説明するフローチャートである。
【図５】表示画面に表示された機能アイコンの移動を説明する図である。
【図６】表示画面に表示された機能アイコンの移動を説明する図である。
【図７】実施例２の情報処理装置の動作処理を説明するフローチャートである。
【図８】表示画面に表示された機能アイコンの削除を説明する図である。
【図９】表示画面に表示された機能アイコンの削除を説明する図である。
【図１０】実施例３の情報処理装置の動作処理を説明するフローチャートである。
【発明を実施するための形態】
【０００９】
図１は、本実施形態の情報処理装置の構成を示す図である。
本実施形態は、本発明を限定するものでなく、また本実施形態で説明されている特徴の組み合わせの全てが本発明の解決手段に必須のものとは限らない。
図１に示す情報処理装置１００は、表示装置１５０と通信可能である。なお、本発明は、図１に示す情報処理装置１００と表示装置１５０とを備える単体の情報処理装置として実現することもできる。
【００１０】
情報処理装置１００は、画像を読み取るスキャナ１０８、画像を印刷するプリンタ１０７と接続されている。また、情報処理装置１００は、ネットワーク１４０や公衆回線１４１と接続することで、画像情報やデバイス情報の入出力を行う。情報処理装置１００は、ＣＰＵ(Central Processing Unit)１０１乃至復号化処理部１２３を備える。ＣＰＵ１０１は、情報処理装置１００全体を統括的に制御する。例えば、ＣＰＵ１０１は、印刷される画像データの画像処理や、ネットワーク制御を行うほか、上述したプリンタ１０７に印刷の指示を出すことによって、印刷処理も制御する。本実施形態に特有の制御として、ＣＰＵ１０１は、表示画面に表示される機能アイコンに関する変更がされた場合に、機能アイコンの操作に関する条件が満たされるかを判断する。そして、ＣＰＵ１０１は、上記条件が満たされる場合に、表示画面上での機能アイコンの表示状態を機能アイコンに関する変更がされる前の表示状態に戻す制御を実行する。
【００１１】
ＲＡＭ(Random Access Memory)１０２は、ＣＰＵ１０１が動作するためのシステムワークメモリであり、画像データを一時記憶するための画像メモリでもある。また、情報処理装置１００は、ＣＰＵ１０１の指示のもと、ネットワークＩ／Ｆ１０６を介してネットワークに接続された他のＰＣやサーバと通信する。例えば、情報処理装置１００は、クライアントＰＣから印刷データを受信したりする。
【００１２】
ＲＡＭ１０２は、ＣＰＵ１０１の主メモリや、ワークエリア等として機能する。ＲＡＭ１０２には、情報処理装置１００内の設定情報や各処理を行った時のジョブログや操作ログなどが格納される。ＲＯＭ(Read Only Memory)１０３は、ブートＲＯＭであり、システムのブートプログラムが格納されている。ＨＤＤ(Hard Disk Drive)１０５は、システムソフトウェア、アプリケーション、画像データを格納する記憶手段である。
【００１３】
操作部Ｉ／Ｆ１０４は、後述する表示装置１５０との間の通信を媒介する。また、操作部Ｉ／Ｆ１０４は、表示装置１５０からユーザが入力した情報をＣＰＵ１０１に通知する。ネットワークＩ／Ｆ１０６は、ネットワーク１４０に接続し、情報の入出力を行う。ＭＯＤＥＭ（モデム）１０９は、公衆回線に接続し、情報の入出力を行う。ＳＲＡＭ１１３は、高速動作可能な不揮発性の記憶媒体である。ＴＩＭＥＲ＿Ａ１１４は、タイマー機能を有し、情報処理装置１００内における時間を計測する。タイマー機能は同時に複数の時間を計測することが可能であり、計測の開始／終了／読み出しは、ＣＰＵ１０１によって行われる。Ｉｍａｇｅ  Ｂｕｓ  Ｉ／Ｆ１１６は、システムバス１１５と画像データを高速で転送する画像バス１１７とを接続し、データ構造を変換するバスブリッジである。画像バス１１７は、ＰＣＩバス又はＩＥＥＥ１３９４で構成される。
【００１４】
画像バス１１７上には、以下のデバイスが配置される。ＲＩＰ部１１８は、ラスターイメージプロセッサであり、ＰＤＬデータをビットマップイメージに展開する。デバイスＩ／Ｆ１１９は、スキャナ１０８やプリンタ１０７を情報処理装置１００と接続し、画像データの同期系／非同期系の変換を行う。スキャナ画像処理部１２０は、入力画像データに対し補正、加工、編集を行う。プリンタ画像処理部１２１は、プリント出力画像データに対して、プリンタの補正、解像度変換等を行う。暗号処理部１２２は、画像データを含む入力データの暗号化処理を行う。復号化処理部１２３は、暗号化データの複号処理を行う。
【００１５】
次に、表示装置１５０の構成について説明する。表示装置１５０は、マイコン１５１、タッチパネルモジュール１５２、液晶モジュール１５４、液晶データコンバータ（ＤａｔａＣｏｎｖ）１５３を備える。表示装置１５０は、バス１６１を介して、情報処理装置１００から表示対象のデータを受信する。また、表示装置１５０は、シリアルバス１６０を介して、情報処理装置１００のＣＰＵ１０１と通信を行う。
【００１６】
マイコン１５１は、表示装置１５０全体を統括的に制御するマイクロコンピュータである。マイコン１５１内には、マイコン１５１が動作するためのプログラムが格納されているＲＯＭが搭載されている。タッチパネルモジュール１５２は、液晶モジュール１５４の表面に配置され、ユーザが触れた箇所の位置情報を検知して、マイコン１５１にタッチパネル通信バス１５６を介して通知する。タッチパネルモジュール１５２は、タッチパネルデバイスとタッチパネルデバイスコントローラとを有する。タッチパネルデバイスは、抵抗膜式、静電容量方式、赤外線等の光学式のいずれでもよい。
【００１７】
液晶データコンバータ１５３は、情報処理装置１００の操作部Ｉ／Ｆ１０４からバス１６１を介して画像データを受け取り、液晶モジュール１５４が受け取ることのできるデータフォーマットに変換する。液晶データコンバータ１５３は、例えば、情報処理装置からは、ＤｉｓｐｌａｙＰｏｒｔやＨＤＭＩ（登録商標）といった規格のデータを受け取り、液晶モジュール１５４が受け取ることのできる、ＬＶＤＳやＣＭＯＳレベルの信号フォーマットに変換を行う。液晶モジュール１５４は、ＬＣＤ及びバックライトモジュールとを有し、表示画面を構成する。液晶モジュール１５４は、液晶データコンバータ１５３からのデータを受け取り、予め決められたタイミングで画像データを表示画面に表示する。液晶モジュール１５４は、例えば、ファックス機能、コピー機能等、所定の機能に関連付けられたアイコンである機能アイコンを表示画面に表示する。なお、アイコンとは、コンピュータの操作画面で、処理の対象や内容などを一定の大きさの小さな画像で表現したものである。
【００１８】
（実施例１）
図２および図３は、表示画面への機能アイコンの追加を説明する図である。
図２に示すように、液晶モジュール１５４によって、表示画面に機能アイコン２０１が表示されているものとする。実施例１の情報処理装置は、ユーザが、表示画面に図３に示す機能アイコン３０２を追加した場合に、機能アイコンの操作に関する所定の条件が満たされるときは、表示画面における機能アイコンの表示状態を、機能アイコン３０２が追加される前の状態に戻す。
【００１９】
図４は、実施例１の情報処理装置の動作処理を説明するフローチャートである。
ステップ４０１において、ＣＰＵ１０１が、表示画面に対して、ユーザが新たな機能アイコンを追加したか否かを判断する。新たな機能アイコンが追加されていない場合は、処理がステップＳ４０１に戻る。新たな機能アイコンが追加された場合は、処理がステップＳ４０２に進む。本実施例においては、図２に示す表示画面に対して、図３に示す機能アイコン３０２が追加されたものとする。
【００２０】
ステップＳ４０２において、ＣＰＵ１０１が、追加された機能アイコンの属性を判定する。追加された機能アイコンの属性が、Ａランクである場合は、そのまま処理を終了する。実施例１においては、Ａランクは、追加された機能アイコンをそのまま保持することを示す属性である。すなわち、ＣＰＵ１０１は、追加された機能アイコンが、予め設定された第１の機能アイコンである場合に、追加された機能アイコンを削除しない。追加された機能アイコンの属性が、Ａランク以外の属性（Ｂランク）である場合は、処理がステップＳ４０３に進む。
【００２１】
ステップＳ４０３において、ＣＰＵ１０１が、時間を計測する。具体的には、ＣＰＵ１０１は、情報処理装置内のＴＩＭＥＲ＿Ａ１１４の値を“０”に初期化し、カウントを開始させる。続いて、ステップ４０４において、ＣＰＵ１０１が、追加された機能アイコン３０２がユーザによって押下されたかを監視する。追加された機能アイコン３０２が押下された場合は、ＣＰＵ１０１が、ステップ４０１にて追加された機能アイコンは使用される機能アイコンであると判断して、処理がステップ４０５に進む。ステップＳ４０５において、ＣＰＵ１０１が、ＴＩＭＥＲ＿Ａ１１４のカウントを停止させて、処理を終了する。
【００２２】
ステップ４０６において、ＣＰＵ１０１が、ＴＩＭＥＲ＿Ａ１１４のカウント値がＥｒａｓｅＴｉｍｅを超えたかを判断する。ＥｒａｓｅＴｉｍｅは、予め定められた所定の経過時間である。ＴＩＭＥＲ＿Ａ１１４のカウント値がＥｒａｓｅＴｉｍｅを超えた場合は、ＣＰＵ１０１は、追加された機能アイコンは、使用されない機能アイコンであると判断して、処理がステップ４０７に進む。ステップＳ４０７において、ＣＰＵ１０１が、追加された機能アイコン（図３の例では、機能アイコン３０２）を削除する。すなわち、ＣＰＵ１０１は、追加された機能アイコンに対する操作が所定時間されなかったかを判断し、追加された機能アイコンに対する操作が所定時間されなかった場合に、追加された機能アイコンを削除する。機能アイコン３０２を削除するタイミングは、情報処理装置１００の電源制御がスリープモードに移行し、液晶モジュール１５４への電源供給が停止した後、再度スリープモードから復帰し液晶モジュール１５４が画面表示を行う時でもよい。
【００２３】
実施例１の情報処理装置によれば、ユーザが冷やかしで追加した機能アイコン３０２が所定時間内に実行されなかった場合、追加された機能アイコンを表示画面上から削除することができる。
【００２４】
（実施例２）
図５および図６は、表示画面に表示された機能アイコンの移動を説明する図である。
図５に示すように、液晶モジュール１５４による表示画面に、アイコン５０１が表示されているものとする。実施例１の情報処理装置は、ユーザが、表示画面における機能アイコン５０１を図６に示す表示位置に移動した場合に、機能アイコンの操作に関する所定の条件が満たされるときは、移動された機能アイコン５０１を、元の表示位置に戻す。
【００２５】
図７は、実施例２の情報処理装置の動作処理を説明するフローチャートである。
ステップ４０１において、ＣＰＵ１０１が、ユーザが図５の表示画面上の機能アイコン５０１を移動したかを判断する。ＣＰＵ１０１が、ユーザが機能アイコン５０１を移動していないと判断した場合は、処理がステップＳ７０１に戻る。この例では、図５に示す機能アイコン５０１が図６に示す表示位置に移動されたものとする。したがって、ＣＰＵ１０１が、ユーザが機能アイコン５０１を移動したと判断して、処理がステップＳ７０２に進む。
【００２６】
ステップＳ４０２において、ＣＰＵ１０１が、追加された機能アイコンの属性を判定する。追加された機能アイコンの属性が、Ａランクである場合は、そのまま処理を終了する。実施例２においては、Ａランクは、移動された機能アイコンをそのまま保持することを示す属性である。すなわち、ＣＰＵ１０１は、移動後の機能アイコンが、予め設定された第２の機能アイコンである場合に、当該機能アイコンを移動される前の表示位置に戻さない。移動された機能アイコンの属性が、Ａランク以外の属性（Ｂランク）である場合は、処理がステップＳ７０３に進む。
【００２７】
ステップＳ７０３において、ＣＰＵ１０１が、時間を計測する。具体的には、ＣＰＵ１０１は、情報処理装置内のＴＩＭＥＲ＿Ａ１１４の値を“０”に初期化し、カウントを開始させる。続いて、ステップ７０４において、ＣＰＵ１０１が、移動された機能アイコン５０１がユーザによって押下されたかを監視する。移動された機能アイコン５０１が押下された場合は、ＣＰＵ１０１が、移動された機能アイコンは使用される機能アイコンであると判断して、処理がステップ７０５に進む。ステップＳ７０５において、ＣＰＵ１０１が、ＴＩＭＥＲ＿Ａ１１４のカウントを停止させて、処理を終了する。
【００２８】
ステップ７０６において、ＣＰＵ１０１が、ＴＩＭＥＲ＿Ａ１１４のカウント値がＭｏｖｅＴｉｍｅを超えたかを判断する。ＭｏｖｅＴｉｍｅは、予め定められた所定の経過時間である。ＴＩＭＥＲ＿Ａ１１４のカウント値がＭｏｖｅＴｉｍｅを超えた場合は、ＣＰＵ１０１は、移動された機能アイコンは、移動された表示位置で使用されない機能アイコンであると判断して、処理がステップ７０７に進む。ステップＳ７０７において、ＣＰＵ１０１が、機能アイコンの再配置を実行する。具体的には、ＣＰＵ１０１が、移動された機能アイコン５０１を、図５に示す移動される前の表示位置に戻す。すなわち、ＣＰＵ１０１は、表示位置の移動後の機能アイコンに対する操作が所定時間されなかったかを判断し、当該機能アイコンに対する操作が所定時間されなかった場合に、当該機能アイコンを移動される前の表示位置に戻す。機能アイコンを移動される前の表示位置に戻すタイミングは、情報処理装置１００の電源制御がスリープモードに移行して液晶モジュール１５４への電源供給が停止した後、再度スリープモードから復帰し液晶モジュール１５４が画面表示を行う時でもよい。実施例２の情報処理装置によれば、ユーザが冷やかしで移動した機能アイコン５０１が所定時間内に実行されなかった場合、移動された機能アイコンを移動前の表示位置に戻すことができる。
【００２９】
（実施例３）
図８および図９は、表示画面に表示された機能アイコンの削除を説明する図である。
図８に示すように、液晶モジュール１５４による表示画面に、アイコン８０１，８０２が表示されているものとする。実施例３の情報処理装置は、ユーザが、表示画面における機能アイコン８０１を図９（Ａ）に示すように削除した場合に、機能アイコンの操作に関する所定の条件が満たされるときは、削除された機能アイコン８０１を図９（Ｂ）に示すように再表示する。
【００３０】
図１０は、実施例３の情報処理装置の動作処理を説明するフローチャートである。
ステップ１００１において、ＣＰＵ１０１が、液晶モジュール１５４に表示されている機能アイコンが、ユーザによって削除されたか否かの監視を行う。機能アイコン８０１が削除されていない場合は、処理がＳ１００１に戻る。機能アイコン８０１が削除された場合は、処理がステップＳ１００２に進む。本実施例においては、図８に示す機能アイコン８０１が、図９（Ａ）に示すように削除されたものとする。
【００３１】
ステップＳ１００２において、ＣＰＵ１０１が、削除された機能アイコンの属性を判定する。削除された機能アイコンの属性が、Ａランクである場合は、処理がステップＳ１００４に進む。実施例３においては、Ａランクは、ユーザによる削除が禁止されていることを示す属性である。削除された機能アイコンの属性が、Ａランク以外の属性（Ｂランク）である場合は、処理がステップＳ１００３に進む。
【００３２】
ステップＳ７０３において、ＣＰＵ１０１が、ＰｕｓｈＮｕｍが所定回数を超えているかを判断する。ＰｕｓｈＮｕｍは、削除された機能アイコンが今までに操作（実行）された回数を示す。本実施例においては、情報処理装置は、一回でも実行された機能アイコンは、削除された場合であっても再表示されるようにする。したがって、本実施例では、所定回数を“０”としている。
【００３３】
ＰｕｓｈＮｕｍが所定回数を超えていない場合は、処理を終了する。ＰｕｓｈＮｕｍが所定回数を超えている場合は、ＣＰＵ１０１は、削除された機能アイコン８０１を図９（Ｂ）に示すように表示画面に再表示する。すなわち、ＣＰＵ１０１は、削除された機能アイコンに対する操作回数が閾値以上であるかを判断し、当該機能アイコンに対する操作回数が閾値以上である場合に、当該機能アイコンを表示画面に再表示する。また、ＣＰＵ１０１は、削除された機能アイコンが、予め設定された第３の機能アイコンである場合に、当該機能アイコンに対する操作回数にかかわらず、当該機能アイコンを表示画面に再表示する（Ｓ１００２，Ｓ１００４）。
【００３４】
機能アイコン８０１を再表示するタイミングは、情報処理装置１００の電源制御がスリープモードに移行し、液晶モジュール１５４への電源供給が停止後、再度スリープモードから復帰して、画面表示を行う時でもよい。実施例３の情報処理装置によれば、ユーザが冷やかしで削除した機能アイコン８０１の過去の操作回数が所定回数を超えている場合に、削除された機能アイコンを再表示させることができる。
【００３５】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３６】
１０１  ＣＰＵ
１５４  液晶モジュール
【図１】
2017102775.tif 000003
【図２】
2017102775.tif 000004
【図３】
2017102775.tif 000005
【図４】
2017102775.tif 000006
【図５】
2017102775.tif 000007
【図６】
2017102775.tif 000008
【図７】
2017102775.tif 000009
【図８】
2017102775.tif 000010
【図９】
2017102775.tif 000011
【図１０】
2017102775.tif 000012